【事件の表示】
　特願２００２−２２３３７８「エアクリーナ」拒絶査定不服審判事件〔平成１６年　２月２６日出願公開、特開２００４−　６０６００〕について、次のとおり審決する。
【結　論】
　本件審判の請求は、成り立たない。
【理　由】
１．手続の経緯及び本願発明
　本件出願は、平成１４年７月３１日の出願であって、平成１９年９月７日付けで拒絶理由が通知され、同年１１月６日付けで意見書及び手続補正書が提出されたが、同年１２月２６日付けで拒絶査定がなされた。  
　そして、平成２０年２月７日に拒絶査定不服審判が請求されるとともに、同年３月７日付けで手続補正書が提出されて明細書を補正する手続補正がなされ、平成２１年６月２３日付けで当審において書面による審尋がなされた。その後、当審において平成２１年１０月７日付けでなされた補正の却下の決定により平成２０年３月７日付けの手続補正書による手続補正は却下されるとともに平成２１年１０月２１日付けで拒絶理由が通知され、同年１２月１０日付けで意見書及び手続補正書が提出されたものである。　
　そして、本件出願の請求項１ないし４に係る発明は、平成１９年１１月６日付けの手続補正書及び平成２１年１２月１０日付けの手続補正書により補正された明細書及び出願当初の図面の記載からみて、特許請求の範囲の請求項１ないし４に記載された事項により特定されるとおりのものと認められ、そのうち、請求項１に係る発明（以下、「本願発明」という。）は、次のとおりである。  
 　 
「エアーを濾過するフィルタエレメント及びホルダをケースに着脱可能に組み付けられるようにしたエアクリーナにおいて、
　前記フィルタエレメントは、周囲に枠、シール部、及び枠から外側に出た鍔部を有し、　前記ケースは、エアーが通過する通路が形成され、前記フィルタエレメントが挿入される開口が形成され、且つエアーが通過する通路の周囲に前記フィルタエレメントのシール部に接触する当接面が形成され、且つ、前記開口から挿入される前記フィルタエレメントの鍔部を案内すると共に、前記ケースに対して前記フィルタエレメントをエアーが通過する方向において概略位置決めする案内部が設けられ、
　前記枠には、前記ケースの開口からケースの内部に向かうにしたがって前記シール部から次第に遠ざかるように前記シール部に対して傾斜する枠傾斜面が形成され、
　前記ホルダは、前記フィルタエレメントとは別体に形成されると共に、前記ケースの開口を塞ぐ蓋部と、前記ケースと前記フィルタエレメントとの間に差し込まれる楔部とを有し、前記楔部には、前記ケースの開口から前記ケースの内部に向かうにしたがって前記当接面と平行に形成されたホルダ案内面に次第に近づくように前記ホルダ案内面に対して傾斜する楔部傾斜面が形成され、
　前記フィルタエレメントがあらかじめ挿入された前記ケースの開口に前記ホルダを押し込むことによって、前記枠傾斜面と前記楔部傾斜面とが摺動しながら前記フィルタエレメントと前記ホルダとは前記エアーが通過する方向に沿って互いに反発するように付勢されると共に、前記ホルダが直接前記フィルタエレメントを前記当接面に押し付けることで、前記フィルタエレメントに設けられた前記シール部が前記ケースに設けられた前記当接面に接触することを特徴とするエアクリーナ。」 
 　 
 　 
 　 
２．引用発明 
（１）当審において平成２１年１０月２１日付けで通知した拒絶理由に引用された、本件出願の出願前に頒布された刊行物である特開平４−２３４５５７号公報（以下、「引用刊行物」という。）に記載された事項  
　
　引用刊行物には、以下の事項が図面とともに記載されている。  
 　  
ア．「【００１１】図１に図示した吸気フィルタ１０は、プラスチック製のフィルタケーシング１１を有しており、このフィルタケーシング１１には下側から、未清浄の気体を吸込むための管１２が連通していて、またこのフィルタケーシング１１の上部には、純気管１３が連通している。 
 【００１２】折り畳まれたフィルタ紙を公知の態様で備えている方形のフィルタ挿入体２０は、周囲にシーリング縁２２を有している。このフィルタ挿入体２０によってフィルタケーシング１１内は、純気室１４と粗気室４４とに分割されている。フィルタ挿入体２０は、端面側においてほぼ開放していて同様にプラスチックより成るフレーム３０に交換可能に挿入されている。フレーム３０の側部３１，３２は、同一の高さに配置された段部３５を有している。この段部３５には、フィルタ挿入体２０のシーリング縁２２が当接している。」（段落【００１１】及び【００１２】）  
 　  
イ．「【００１３】フレーム３０は、閉鎖部材５０の内部において案内されている。この閉鎖部材５０は、カバー５２より成り、このカバー５２には、図２に示したようにスライドウエッジ５１，５３として構成された２つの側面が配置されている。この閉鎖部材５０は、フレーム３０と共にフィルタケーシング１１内に矢印２３の押込方向で押込まれる。スライドウエッジ５１，５３の形状によって閉鎖部材５０の押込み時にフレーム３０は、フレーム３０内にあるフィルタ挿入体２０と共に純気室１４の方向に動かされ、これによって純気室１４は、段部１５とシーリング縁２２とを介してシールされる。」（段落【００１３】）  
 　  
ウ．「【００１４】フィルタ挿入体２０をフィルタケーシング１１から解放する際には、まず閉鎖部材５０を矢印２３とは反対の方向に移動させる。これによって、フィルタ挿入体２０を段部１５に押し付けていた閉鎖力は消滅する。まだこのときフィルタ挿入体２０はフレーム３０と共に、その組込み位置に留まっている。しかしながら２つの突子３６，３７が長穴３８，３９のストッパに当接するやいなやフレーム３０もまた閉鎖部材５０によって連行される。同時に係止突起４０，４１は前縁部４２，４３と係止し、これによってフレーム３０をその引き出された位置において固定する。新しいフィルタ挿入体２０をフレーム３０に装着した後に、フレーム３０は再びフィルタケーシング１１に押込むことが可能である。係止突起４０，４１によって次のことが保証される。すなわち、閉鎖部材５０は、フレーム３０が完全にフィルタケーシング１１内にあり、かつこのフィルタケーシング１１の端部に当接しているときにはじめて、フレーム３０の閉鎖とシールとを行うことができる。上記の条件が充たされてはじめて、高められた押込み力により係止突起４０，４１の係止力は克服され、閉鎖部材５０はフィルタケーシング１１に完全に押込まれる。」（段落【００１４】） 
 　 
エ．「【００１６】図１に示したように、同様にまたフレーム３０の底部２４およびフィルタケーシング１１の底部３３も楔状に構成されており、それゆえにスライドウエッジ４７と関連しているこれらの面もまた、大きな解放力を必要としない。」（段落【００１６】）　  
 　　 
オ．「【図面の簡単な説明】 
 【図１】閉鎖位置でシールされるように押圧されているフィルタ挿入体を備えた吸気フィルタの縦断面図である。 
 【図２】図１に示した吸気フィルタの平面図である。 
 【図３】フィルタ挿入体のためのフレームの側面図である。 
 【符号の説明】 
 １０　　吸気フィルタ、　　　　１１　　フィルタケーシング、　　　　１２　　管、１３　　純気管、　　　　１４　　純気室、　　　　１５　　段部、　　　　２０　　フィルタ挿入体、　　　　２２　　シーリング縁、　　　　２３　　矢印、　　　　２４　　底部、　　　　２５，２６側壁、　　３０　　フレーム、　　　　３１，３２　　側部、　　　　３３　　底部、　　　　３５　　段部、　　３６，３７　　突子、　　　　３８，３９　　長穴、　　　　４０，４１　　係止突起、　　　　４２，４３　　前縁部、　　　　４４　　粗気室、　　　　４５，４６　　側壁、４７　　スライドウエッジ、　　　　４８，４９　　隆起部、　　　　５０　　閉鎖部材、５１　　スライドウエッジ、　　　　５２　　カバー、　　　　５３　　スライドウエッジ」（【図面の簡単な説明】） 」 
 　  
 　  
（２）上記（１）及び図１からわかること。  
ａ．上記（１）ア．に「フィルタ挿入体２０は、端面側においてほぼ開放していて同様にプラスチックより成るフレーム３０に交換可能に挿入されている。」とあることから、いわゆるフィルタエレメントは「フィルタ挿入体２０」と「フレーム３０」からなることがわかる。 
　また、上記（１）イ．に「この閉鎖部材５０は、フレーム３０と共にフィルタケーシング１１内に矢印２３の押込方向で押込まれる。」とあること、上記（１）ウ．に「フィルタ挿入体２０をフィルタケーシング１１から解放する際には、まず閉鎖部材５０を矢印２３とは反対の方向に移動させる。」及び「新しいフィルタ挿入体２０をフレーム３０に装着した後に、フレーム３０は再びフィルタケーシング１１に押込むことが可能である。」とあること並びに図１から、引用刊行物に記載された「吸気フィルタ１０」において、エアーを濾過する「フィルタ挿入体２０」と「フレーム３０」とからなるフィルタエレメント及び「閉鎖部材５０」は「フィルタケーシング１１」に着脱可能に組み付けられることがわかる。 
 　  
ｂ．上記（１）ア．に「 フレーム３０の側部３１，３２は、同一の高さに配置された段部３５を有している。」とあること及び上記（１）エ．に「図１に示したように、同様にまたフレーム３０の底部２４およびフィルタケーシング１１の底部３３も楔状に構成されており」とあること並びに図１及び図２より、上記「フレーム３０」は「側部３１，３２」及び「底部２４」を有しているから上記フィルタエレメントは周囲に「側部３１，３２」及び「底部２４」からなる枠を有することがわかる。また、上記（１）ア．に「この段部３５には、フィルタ挿入体２０のシーリング縁２２が当接している。」とあること及び図１から、上記フィルタエレメントは「シーリング縁２２」を有していることがわかる。 
 　  
ｃ．図１より、上記「フィルタケーシング１１」には、エアーが通過する通路が形成され、上記フィルタエレメントが挿入される開口が形成されていることがわかる。また、上記（１）ウ．に「これによって、フィルタ挿入体２０を段部１５に押し付けていた閉鎖力は消滅する。」とあること及び図１から、上記「フィルタケーシング１１」にはエアーが通過する通路の周囲に上記フィルタエレメントの「シーリング縁２２」に接触する「段部１５」が形成されていることがわかる。 
 　 
ｄ．上記（１）エ．に「図１に示したように、同様にまたフレーム３０の底部２４およびフィルタケーシング１１の底部３３も楔状に構成されており」とあること及び図１より、上記フィルタエレメントにおける上記「側部３１，３２」及び「底部２４」からなる枠には、上記「フィルタケーシング１１」の開口から「フィルタケーシング１１」の内部に向かうにしたがって上記「シーリング縁２２」から次第に遠ざかるように上記「シーリング縁２２」に対して傾斜する枠傾斜面が形成されていることがわかる。 
　
ｅ．上記（１）ウ．に「フィルタ挿入体２０をフィルタケーシング１１から解放する際には、まず閉鎖部材５０を矢印２３とは反対の方向に移動させる。これによって、フィルタ挿入体２０を段部１５に押し付けていた閉鎖力は消滅する。まだこのときフィルタ挿入体２０はフレーム３０と共に、その組込み位置に留まっている。しかしながら２つの突子３６，３７が長穴３８，３９のストッパに当接するやいなやフレーム３０もまた閉鎖部材５０によって連行される。同時に係止突起４０，４１は前縁部４２，４３と係止し、これによってフレーム３０をその引き出された位置において固定する。」とあること及び図２より、上記「閉鎖部材５０」は、上記フィルタエレメントを構成する「フレーム３０」に設けられた「突子３６，３７」と、「閉鎖部材５０」に設けられた「長穴３８，３９」及び「係止突起４０，４１」により相対移動可能に接続されていることがわかる。
 　 
ｆ．上記（１）イ．に「この閉鎖部材５０は、カバー５２より成り、このカバー５２には、図２に示したようにスライドウエッジ５１，５３として構成された２つの側面が配置されている。」とあること及び上記（１）オ．並びに図１より、引用刊行物に記載された「閉鎖部材５０」は、上記「フィルタケーシング１１」の開口を塞ぐ「カバー５２」、及び上記「フィルタケーシング１１」と上記フィルタエレメントとの間に差し込まれる「スライドウエッジ４７」を有することがわかる。 
　また、図１より、「スライドウエッジ４７」の「フレーム３０」側の面は上記「フィルタケーシング１１」の開口から底部にわたって上記枠傾斜面に接しており上記枠傾斜面は「フィルタケーシング１１」の開口から「フィルタケーシング１１」の内部に向かうにしたがって「段部１５」に次第に遠ざかるように構成されていることがわかるから、上記「スライドウエッジ４７」には、上記「フィルタケーシング１１」の開口から上記「フィルタケーシング１１」の内部に向かうにしたがって上記「段部１５」に次第に遠ざかるように上記「段部１５」に対して傾斜する楔部傾斜面が形成されていることがわかる。 
 　 
ｇ．上記（１）エ．に「図１に示したように、同様にまたフレーム３０の底部２４およびフィルタケーシング１１の底部３３も楔状に構成されており」とあること及び図１より、上記「フィルタケーシング１１」には上記「段部１５」に傾斜して形成された「底部３３」が形成されていることがわかる。
　　
ｈ．上記（１）ウ．に「係止突起４０，４１によって次のことが保証される。すなわち、閉鎖部材５０は、フレーム３０が完全にフィルタケーシング１１内にあり、かつこのフィルタケーシング１１の端部に当接しているときにはじめて、フレーム３０の閉鎖とシールとを行うことができる。上記の条件が充たされてはじめて、高められた押込み力により係止突起４０，４１の係止力は克服され、閉鎖部材５０はフィルタケーシング１１に完全に押込まれる。」とあることから、上記フィルタエレメントは、上記「フィルタケーシング１１」の開口に上記「閉鎖部材５０」を押し込む前に、上記「フィルタケーシング１１」の開口にあらかじめ挿入されていることがわかる。
　
ｉ．上記（１）イ．に「この閉鎖部材５０は、フレーム３０と共にフィルタケーシング１１内に矢印２３の押込方向で押込まれる。スライドウエッジ５１，５３の形状によって閉鎖部材５０の押込み時にフレーム３０は、フレーム３０内にあるフィルタ挿入体２０と共に純気室１４の方向に動かされ、これによって純気室１４は、段部１５とシーリング縁２２とを介してシールされる。」とあることから、上記フィルタエレメントがあらかじめ挿入された上記「フィルタケーシング１１」の開口に上記「閉鎖部材５０」を押し込むことによって、上記フィルタエレメントに設けられた上記「シーリング縁２２」が上記「フィルタケーシング１１」に設けられた上記「段部１５」に接触することがわかる。 
　ここで、上記ｆ．より上記フィルタエレメントにおける枠傾斜面と上記「閉鎖部材５０」における楔部傾斜面とは、上記フィルタエレメントと上記「閉鎖部材５０」が上記「フィルタケーシング１１」に共に収容されている時には上記「フィルタケーシング１１」の開口から底部にわたって接しているものであるから、上記フィルタエレメントがあらかじめ挿入された上記「フィルタケーシング１１」の開口に上記「閉鎖部材５０」を押し込むことによって、上記枠傾斜面と上記楔部傾斜面とが摺動しながら上記フィルタエレメントと上記「閉鎖部材５０」とは上記エアーが通過する方向に沿って互いに反発するように付勢されると共に、上記「閉鎖部材５０」が直接上記フィルタエレメントを上記「段部１５」に押し付けるように動作することは、上記枠傾斜面と上記楔部傾斜面との間における応力の作用からみて明らかである。
　
　
（３）引用発明  
　上記（１）、（２）及び図面の記載を総合すると、引用刊行物には次の発明が記載されていると認められる。  
「エアーを濾過するフィルタ挿入体２０とフレーム３０からなるフィルタエレメント及び閉鎖部材５０をフィルタケーシング１１に着脱可能に組み付けられるようにした吸気フィルタ１０において、 
　前記フィルタエレメントは、周囲に側部３１，３２及び底部２４からなる枠及びシーリング縁２２を有し、 
　前記フィルタケーシング１１は、エアーが通過する通路が形成され、前記フィルタエレメントが挿入される開口が形成され、且つエアーが通過する通路の周囲に前記フィルタエレメントのシーリング縁２２に接触する段部１５が形成され、 
　前記側部３１，３２及び底部２４からなる枠には、前記フィルタケーシング１１の開口からフィルタケーシング１１の内部に向かうにしたがって前記シーリング縁２２から次第に遠ざかるように前記シーリング縁２２に対して傾斜する枠傾斜面が形成され、 
　前記閉鎖部材５０は、前記フィルタエレメントと、突子３６，３７、長穴３８，３９及び係止突起４０，４１により相対移動可能に接続されると共に、前記フィルタケーシング１１の開口を塞ぐカバー５２、及び前記フィルタケーシング１１と前記フィルタエレメントとの間に差し込まれるスライドウエッジ４７とを有し、前記スライドウエッジ４７には、前記フィルタケーシング１１の開口から前記フィルタケーシング１１の内部に向かうにしたがって前記段部１５に次第に遠ざかるように前記段部１５に対して傾斜する楔部傾斜面が形成され、 
　フィルタケーシング１１には前記段部１５に傾斜して形成された底部３３が形成され、　前記フィルタエレメントがあらかじめ挿入された前記フィルタケーシング１１の開口に前記閉鎖部材５０を押し込むことによって、前記枠傾斜面と前記楔部傾斜面とが摺動しながら前記フィルタエレメントと前記閉鎖部材５０とは前記エアーが通過する方向に沿って互いに反発するように付勢されると共に、前記閉鎖部材５０が直接前記フィルタエレメントを前記段部１５に押し付けることで、前記フィルタエレメントに設けられた前記シーリング縁２２が前記フィルタケーシング１１に設けられた前記段部１５に接触する吸気フィルタ１０。」（以下、「引用発明」という。）  
 　  
 　  
　　
３．対比  
　本願発明と引用発明を対比すると、両者の対応関係は次のとおりである。 　
　引用発明における「フィルタ挿入体２０とフレーム３０からなるフィルタエレメント」は、その機能からみて、本願発明における「フィルタエレメント」に相当し、以下同様に「閉鎖部材５０」は「ホルダ」に、「フィルタケーシング１１」は「ケース」に、「吸気フィルタ１０」は「エアクリーナ」に、「側部３１，３２及び底部２４からなる枠」は「枠」に、「シーリング縁２２」は「シール部」に、「段部１５」は「当接面」に、「カバー５２」は「蓋部」に、「スライドウエッジ４７」は「楔部」に、それぞれ相当する。 　　  
　よって、本願発明と引用発明とは、  
「エアーを濾過するフィルタエレメント及びホルダをケースに着脱可能に組み付けられるようにしたエアクリーナにおいて、 
　前記フィルタエレメントは、周囲に枠及びシール部を有し、 
　前記ケースは、エアーが通過する通路が形成され、前記フィルタエレメントが挿入される開口が形成され、且つエアーが通過する通路の周囲に前記フィルタエレメントのシール部に接触する当接面が形成され、 
　前記枠には、前記ケースの開口からケースの内部に向かうにしたがって前記シール部から次第に遠ざかるように前記シール部に対して傾斜する枠傾斜面が形成され、 
　前記ホルダは、前記ケースの開口を塞ぐ蓋部、及び前記ケースと前記フィルタエレメントとの間に差し込まれる楔部とを有し、前記楔部には楔部傾斜面が形成され、 
　前記フィルタエレメントがあらかじめ挿入された前記ケースの開口に前記ホルダを押し込むことによって、前記枠傾斜面と前記楔部傾斜面とが摺動しながら前記フィルタエレメントと前記ホルダとは前記エアーが通過する方向に沿って互いに反発するように付勢されると共に、前記ホルダが直接前記フィルタエレメントを前記当接面に押し付けることで、前記フィルタエレメントに設けられた前記シール部が前記ケースに設けられた前記当接面に接触するエアクリーナ。」である点で一致し、以下の（１）ないし（３）の点で相違する。　  
 　 
（１）本願発明においては、「フィルタエレメントは」「枠から外側に出た鍔部を有」するとともに「ケースは」「前記開口から挿入される前記フィルタエレメントの鍔部を案内すると共に、前記ケースに対して前記フィルタエレメントをエアーが通過する方向において概略位置決めする案内部が設けられ」ているのに対して、引用発明においては、本願発明における「フィルタエレメント」に相当する「フィルタ挿入体２０とフレーム３０からなるフィルタエレメント」は「周囲に側部３１，３２及び底部２４からなる枠及びシーリング縁２２を有し」ているものの、上記「枠から外側に出た鍔部」を有しているか明らかではなく、また、本願発明における「ケース」に相当する「フィルタケーシング１１」に上記「案内部」が設けられているか明らかではない点（以下、「相違点１」という。）。 
　　
（２）本願発明においては、「ホルダは、前記フィルタエレメントとは別体に形成されると共に、」「前記フィルタエレメントがあらかじめ挿入された前記ケースの開口に前記ホルダを押し込む」ものであるのに対して、引用発明においては、本願発明における「ホルダ」に相当する「前記閉鎖部材５０」「は、前記フィルタエレメントと、突子３６，３７、長穴３８，３９及び係止突起４０，４１により相対移動可能に接続されると共に」「前記フィルタエレメントがあらかじめ挿入された」本願発明の「ケース」に相当する「フィルタケーシング１１」「の開口に前記閉鎖部材５０を押し込む」ものである点（以下、「相違点２」という。）。
　　
（３）本願発明においては、「ケース」に「当接面と平行に形成されたホルダ案内面」が設けられ、「楔部には、前記ケースの開口から前記ケースの内部に向かうにしたがって」「ホルダ案内面に次第に近づくように前記ホルダ案内面に対して傾斜する楔部傾斜面が形成され」ているのに対して、引用発明においては、本願発明における「ケース」に相当する「フィルタケーシング１１」に本願発明における「当接面」に相当する「段部１５」「に傾斜して形成された底部３３が形成され」ており、本願発明における「楔部」に相当する「スライドウエッジ４７」には「楔部傾斜面」が形成されているものの、該「楔部傾斜面」は「前記フィルタケーシング１１の開口から前記フィルタケーシング１１の内部に向かうにしたがって前記段部１５に次第に遠ざかるように前記段部１５に対して傾斜する」ものである点（以下、「相違点３」という。）。 
 　  
 　  
　　
４．判断　  
（１）相違点１について 
　ケースに開口からフィルタエレメントを挿入して設置するエアフィルタにおいて、開口から挿入される前記フィルタエレメントを案内すると共に、前記ケースに対して前記フィルタエレメントをエアーが通過する方向において位置決めするための溝部からなる案内部を設けることは周知技術（必要があれば、例えば、特開昭５５−１６４７６５号公報の第３図及び第４図、実願昭５７−１０９６３２号（実開昭５９−１４９５４号）のマイクロフィルムの明細書第２ページ第１４行ないし第３ページ第２０行及び第１図ないし第５図を参照されたい。以下、「周知技術１」という。）である。 
　また、溝部からなる案内部により案内される部材に溝部にはめるための凸部を設けることは慣用技術（以下、「慣用技術」という。）にすぎない。 
　そして、引用発明においては、「フィルタケーシング１１の開口に前記閉鎖部材５０を押し込むことによって、」「前記閉鎖部材５０とは前記エアーが通過する方向に沿って互いに反発するように付勢されると共に、前記閉鎖部材５０が直接前記フィルタエレメントを前記段部１５に押し付ける」とあるように「フィルタエレメント」が「フィルタケーシング１１」に対して「エアーが通過する方向に沿って」の多少の移動をするものであることを考慮すれば、引用発明の備える「フィルタケーシング１１」及び「フィルタエレメント」に上記周知技術１及び慣用技術を適用して「側部３１，３２及び底部２４からなる枠」に外側に出た鍔部を設けるとともに「フィルタケーシング１１」に前記鍔部を案内すると共に、「フィルタケーシング１１」に対して「フィルタエレメント」をエアーが通過する方向において概略位置決めする案内部を設けるようにすることで上記相違点１に係る本願発明の発明特定事項を想到することは当業者が容易になし得たものである。 
　
（２）相違点２について
　上記２．（１）ウ．に「フィルタ挿入体２０をフィルタケーシング１１から解放する際には、まず閉鎖部材５０を矢印２３とは反対の方向に移動させる。これによって、フィルタ挿入体２０を段部１５に押し付けていた閉鎖力は消滅する。まだこのときフィルタ挿入体２０はフレーム３０と共に、その組込み位置に留まっている。しかしながら２つの突子３６，３７が長穴３８，３９のストッパに当接するやいなやフレーム３０もまた閉鎖部材５０によって連行される。同時に係止突起４０，４１は前縁部４２，４３と係止し、これによってフレーム３０をその引き出された位置において固定する。新しいフィルタ挿入体２０をフレーム３０に装着した後に、フレーム３０は再びフィルタケーシング１１に押込むことが可能である。」とあるように、引用発明においては、「閉鎖部材５０は、前記フィルタエレメントと、突子３６，３７、長穴３８，３９及び係止突起４０，４１により相対移動可能に接続される」ことによって、「閉鎖部材５０」を「フィルタケーシング１１」から引き抜く際に、「突子３６，３７」が「長穴３８，３９」のストッパに当接することにより「フィルタエレメント」を構成する「フレーム３０」が「閉鎖部材５０」によって連行され、上記「フレーム３０」を「フィルタケーシング１１」から引き抜くことを可能とするとともに、「係止突起４０，４１」は上記「フレーム３０」が上記「閉鎖部材５０」から引き出された位置において固定し、その状態で新しい「フィルタ挿入体２０」を「フレーム３０」に装着することを可能にするものである。
　しかしながら、上記「フレーム３０」が上記「閉鎖部材５０」によって連行され、上記「フレーム３０」を上記「フィルタケーシング１１」から引き抜くとともに、上記「フレーム３０」が上記「閉鎖部材５０」から引き出された位置で新しい「フィルタ挿入体２０」をレーム３０」に装着するように構成するか、または、上記「フレーム３０」が上記「閉鎖部材５０」に連行されることなく、上記「閉鎖部材５０」を上記「フィルタケーシング１１」から引き抜いた後、上記「フレーム３０」を上記「フィルタケーシング１１」から引き抜き、その後、新しい「フィルタ挿入体２０」を「フレーム３０」に装着するように構成するかは、「フィルタ挿入体２０」の交換作業における作業の容易性及び「突子３６，３７」、「長穴３８，３９」及び「係止突起４０，４１」を新たに設けることによる製造コストの双方を考慮して当業者が必要に応じて適宜選択する設計的事項である。
　
　してみれば、上記相違点２に係る発明特定事項は、引用発明において、上記作業の容易性及び製造コストの双方を考慮して当業者が必要に応じて適宜選択する設計的事項であると認められる。
　　
（３）相違点３について 
　所定方向に移動可能な部材Ａにおける傾斜面ａに部材Ｂにおける傾斜面ｂを当接させて両傾斜面において両部材が反発するように作用させるものにおいて、前記部材Ａの所定方向の移動を案内する面を設けることは周知技術（必要があれば、例えば、特開２００１−３２９９２１号公報の段落【００２４】及び図４、特開平１１−１３２１１７号公報の段落【００１３】及び図１、特開２００２−１８８７３４号公報（平成１４年７月５日公開）の段落【００１７】並びに図４及び図６を参照されたい。以下、「周知技術２」という。）である。 
　また、引用発明においては「側部３１，３２及び底部２４からなる枠」における「枠傾斜面」に「フィルタケーシング１１の開口」への挿入方向に移動する「スライドウエッジ４７」における「楔部傾斜面」を当接させて「側部３１，３２及び底部２４からなる枠」と「スライドウエッジ４７」が反発するように作用させている。 
　そして、引用発明の備える「スライドウエッジ４７」及び「フィルタケーシング１１に」「前記段部１５に傾斜して形成された底部３３」に上記周知技術２を適用して「閉鎖部材５０」の「フィルタケーシング１１の開口」への挿入方向に「閉鎖部材５０」を案内する面となるように「底部３３」を「段部１５」と平行に形成し、「楔部傾斜面」を「フィルタケーシング１１」の開口から前記「フィルタケーシング１１」の内部に向かうにしたがって」、「段部１５」と平行になるように形成された「底部３３」の面に次第に近づくようなものとすることは当業者にとって格別に困難なことではない。
　 
　してみれば、引用発明において、上記周知技術２を適用して上記相違点３に係る本願発明の発明特定事項を想到することは当業者が容易になし得たものである。 
 　 
　また、本願発明は全体としてみても引用発明、周知技術１、周知技術２及び慣用技術から予測できる作用効果以上の顕著な作用効果を奏するものとも認められない。  
　
　
　
５．むすび  
　以上のとおり、本願発明は、引用発明、周知技術１、周知技術２及び慣用技術に基づいて当該技術分野における通常の知識を有する者が容易に発明をすることができたものであるから、特許法第２９条第２項の規定により特許を受けることができない。  
　よって、結論のとおり審決する。